(57)【要約】      （修正有）【課題】簡単に脱着できて，軽量で着やすく，肩にかかる合羽ズボンの重量が分散できて肩凝りの心配から解放されるとともに，裂傷保護，簡単な修理補強できる合羽ズボンを提供する。【解決手段】太い平ゴムの吊りバンド１０で肩への負担が軽減させ，雄と雌のマジック１０を有効に使用して，吊りバンドを確りと固定し、さらに胸に備え付けの蓋１、９によって，ホコリ，ゴミから密着性のマジックを保護しているので，長く使用出来る，また，腰から下の前面に張り巡らした，コウシ状の塩化ビニール，ポリウレタン素材の２重かさねによる大型前面二重重補強布３により裂傷保護を行い、さらに，コウシの内径に合わせた同素材によるパッチを準備して，簡単な修理補強できるようにする。【選択図】図５
2013119693.tif 000002
【特許請求の範囲】
【請求項１】
背中と胸を結ぶ紐で合羽ズボンを安定させて，仕事していた．
その紐を伸縮性のある１０ｃｍ位い充分に幅のあるゴム紐で，胸に，雌マジックを取り付ける．肩の太いゴム紐の内側に雄マジック外側に雌マジックを付ける，胸の雌マジックの内側に蓋の役割をする様に，外側を本体の生地，塩化ビニール又はポリウレタンで内側を，雄のマジックを付けて肩から降りてきた表裏マジックをサンドイッチ方式で，包みこんで，完全に止める，これによって安全に仕事が出来る．
【請求項２】
ワニ，亀は体を外的から守るため，皮膚の表面を竪く，かつ細分化して，裂傷を一部分でおさえる様に進化して生きぬいている．
今まで塩化ビニール，ポリウレタンの継ぎ目は約２ｍｍ−４ｍｍ位のウエルダーの幅で繋いで，膝の部分を二重止めしていた，水産業での作業は膝のみ傷つく訳では無い，腰から下の部分は均等に傷つきやすい，幅の広い１０ｍｍ−１５ｍｍのウエルダーが開発されて，それを利用して，胸付ズボンの全面の腰から下を四角いコオシ状にワニ，亀のように塩化ビニール，ポリウレタンを二重にして止め裂傷を１−２箇所に止める．又，四角いコオシの内側と同じ面積の角を丸くした同素材を，１０枚位と接着剤を添付すると，大変便利に傷の修繕ができ，その商品を長く使用できて，経済効果バツグンとなる．
【発明の詳細な説明】
【背景技術】
【０００１】従来の胸付き合羽ズボンは，後ろの腰と前の胸の所を結ぶには細いゴム紐で，結んでいた，その後少し進化して，プラスチックのバックル又は，４−５ｃｍ位の平ゴムの吊りバンドで，いわゆるサスペンダー方式の胸付ズボンが現在主流の胸付合羽ズボンである．この背中で交差しているゴム紐は脱着の時ねじれて，着にくい，又幅のせまい肩紐は，合羽本体の重量が肩にかかり，皆，肩凝りで悩んでいる．【０００２】今まで，膝の部分は幅の狭いウエルダーで二重にして強化していた．
また，作業過程での傷，破損の部分は，その傷みに応じて，自分で共布を切って，修繕していた．この方法だと一回の破損で水が入って，すぐに冷たい思いをする，また，修繕方法がめんどうである為に，修繕に慣れて無い人は，すぐに，買い替えてしまう．不経済である．【０００３】時代による男と女の労働は移り変わるものです．
人類は他の動物に比べてどこまで進化すればきがすむのか，最近は食料事情がよくなり，昔と比べると筋力が数段強くなり，男の仕事にどんどん女性が進出してきた，しかし，男とは同じにはならない．
世間はまだまだ労働着は男の筋力を標凖として商品開発をしている．
だから，上記の胸付合羽ズボンは，体の強い人は上手に使いこなす事ができるが，非力な労働者または万人向きの胸付合羽ズボンが必要とされる．
【問題を解決するための手段】
【０００４】Ａ，問題は肩にかかるカッパズボンの重量による肩凝りそれは細い紐が長時間肩に掛かっている事にょつて，その紐に重量が集まって苦しんでいる，肩の紐を太くするとカッパズボンの重量を一か所の紐から，肩全体で受け止めると重量が分散されて，重いという感覚がなくなる．
Ｂ，プラスティックのバックルと，背中で交差している，ゴムの吊りバンド．
現在のカッパ胸付ズボンは前の胸の部分と後ろのお尻の部分を結ぶのにバックルと吊りバンド使っている，バックルは時々壊れる，又，刺し網の目に引っ掛かる為危険性もある，吊りバンドは細いので，着る時に背中でねじれて，速やかに，着れない．新案は背中は一枚の塩化ビニール，ポリウレタンで，出来ているので，ねじれは無い，肩のゴムが太いので，肩は楽になる．前側の胸の所は平たい雄雌マジックの合体によって止める．  さらに，胸のマジックは，サンドイッチ方式によって完全に密着して強力に止まる，サンドイッチの一番外側は塩化ビニール又は，ポリウレタンの布でおおって，ゴミなどから，止め用のマジックを，くっつきにくくする物からガードする役目もする．
平面的なマジックの止めの仕組みは細い魚網の引っ掛かりを防ぎます．
Ｃ、各メーカーの個性の無い同じ型の胸付合羽ズボン
男女共通な型の胸付きズボン
現在の胸付合羽ズボンは，細い吊りバンドのサスペンダー方式
プラステックのバックルと塩化ビニール，ポリウレタンの組み合わせによって，できている．これでは，体力の劣る労働者又は，女性の労働者は長時間の労働で，スピーディに脱着できにくく，又肩懲りの問題で苦しんでいる，これを解決するために，塩化ビニール，ポリウレタンと太いゴム紐と雄，雌マジックの組み合わせで，脱着楽々，肩負担軽減，安全性向上な非力な労働者にとって優しい胸付きズボンとなります．
【課題を解決するための手段】
【０００５】腰から下の前面を太いウエルダーの圧着によって，コウシ状に細分化して，そのコウシ状に合った修理用の同素材の布を作って，沢山準備しておくと，修繕が楽に素人の人にも，出来る様になる．
前面の傷に対して，すごいガード効果を発揮する為に長時間使用期間が伸びる．
【考案の効果】
【０００６】腰から下の前面を二重に張り含わせる事によって，ガード効果が２倍になって，裂傷による身の危険を軽減させる，又，太型幅のウエルダーによって，コオシ状に分割された腰下の前面は，傷の部分を１−２箇所に止め，かつ，角が引っかかって，剥がれ無い様に，丸くカットして，ウエルダーのコオシの内側にピッタリと合うように，準備した共布を多く作っておいて，裂傷に対して簡単修理で対応する，これによって商品は長期間使用できて，経済効果は抜群になる．無駄なポイ捨てを少なくする．
【図面の簡単な説明】
【０００７】
【図１】サスペンダー式胸付ズボンの正面図
【図２】サスペンダー式胸付ズボンの背面図
【図３】マジック胸付合羽ズボンの正面図
【図４】マジック胸付合羽ズボンの背面図
【図５】簡単マジック胸付合羽ズボンの正面図
【図６】サンドイッチ方式の肩マジック止めの拡大図
【図７】太型ウエルダーによって合羽ズボン前面の二重補強の拡大図
【符号の説明】
【０００８】  １  雄マジック内蔵の蓋
２  ファスナー付内ポケット
３  太型コウシ状前面二重補強布
４  太型平ゴム先端両面マジック
５  腰ヘルト通し輪
６  吊りバンド
７  バックル
８  両面マジック肩吊り
９  マジックのホコリ、ゴミ防止蓋
１０肩ラクラク太型平ゴムバンド
１１塩化ビニール又はポリウレタンの本体
１２太型ウエルダーのコウシ
１３修理に使うコウシ修繕最適修理用共生地のパッチ
【図１】
2013119693.tif 000003
【図２】
2013119693.tif 000004
【図３】
2013119693.tif 000005
【図４】
2013119693.tif 000006
【図５】
2013119693.tif 000007
【図６】
2013119693.tif 000008
【図７】
2013119693.tif 000009